(57)【要約】ネットワークが安定しており繋がり易い場合には静止画像の中央領域を周辺領域よりも早く表示でき、また、ネットワークが不安定で繋がりにくい場合でも安定して静止画像を配信できる。  本発明の静止画像配信方法は、第１の送信側装置が静止画像を第２の送信側装置へ送信し、第２の送信側装置が、第１の送信側装置から送信された静止画像を受信して記憶し、第１の送信側装置が、静止画像の中央領域から周辺領域方向への順で、各領域の静止画像の画素データを順次に第１のネットワークを介して受信側装置へ配信し、第２の送信側装置が、記憶している静止画像の中央領域から周辺領域方向への順で、各領域の静止画像の画素データを順次に第２のネットワークを介して受信側装置へ配信する。
2011001991.tif 000002
【特許請求の範囲】
【請求項１】
第１の送信側装置が静止画像を第２の送信側装置へ送信し、
前記第２の送信側装置が、前記第１の送信側装置から送信された前記静止画像を受信して記憶し、
前記第１の送信側装置が、前記静止画像の中央領域から周辺領域方向への順で、各領域の前記静止画像の画素データを順次に第１のネットワークを介して前記受信側装置へ配信し、前記第２の送信側装置が、記憶している前記静止画像の中央領域から周辺領域方向への順で、各領域の前記静止画像の画素データを順次に第２のネットワークを介して前記受信側装置へ配信する
静止画像配信方法。
【請求項２】
第１の送信側装置がリングバッファの構成の第１の記憶部に格納している静止画像を受信側装置へ配信するのに先行して第２の送信側装置へ前記静止画像と、その静止画像のサイズとを送信し、
前記第２の送信装置が前記第１の送信側装置から送信された前記静止画像及び前記静止画像のサイズとを受信して、前記静止画像のサイズに応じた先頭アドレスから末尾アドレスまでリングバッファの構成の第２の記憶部に前記静止画像を記憶し、
前記第１の送信側装置が、前記第１の記憶部に格納している前記静止画像における前記リングバッファ上の先頭アドレスの画素データから末尾アドレスの画素データまでのうち、前記先頭アドレスと前記末尾アドレスとの間の中央アドレスの画素データから読み出しを開始して前記先頭アドレス及び末尾アドレスのうちの一方の方向へ前記静止画像の画素データを順次に読み出して第１のネットワークを介して前記受信側装置へ配信し、
前記第２の送信側装置が、前記静止画像を記憶している前記第２の記憶部のリングバッファ上の先頭アドレスの画素データから末尾アドレスの画素データまでのうち、前記先頭アドレスと前記末尾アドレスとの間の所定アドレスの画素データから読み出しを開始して前記第１の送信側装置による前記第１の記憶部の読み出し方向とは逆方向に前記静止画像の画素データを順次に読み出して、第２のネットワークを介して前記受信側装置へ前記第１の送信側装置による前記静止画像の配信動作と並行して配信する
静止画像配信方法。
【請求項３】
前記所定アドレスは、
前記静止画像を記憶している前記第２の記憶部のリングバッファ上の前記先頭アドレスと前記末尾アドレスとの間の中央位置のアドレスに対して、前記第２の送信側装置による前記リングバッファの読み出し方向と同方向に隣接するアドレスである
請求項２記載の静止画像配信方法。
【請求項４】
前記受信側装置が前記第１の送信側装置により配信された第１の静止画像の画素データと、前記第２の送信側装置により配信された第２の静止画像の画素データとを受信し、
受信された前記第１の静止画像の画素データと前記第２の静止画像の画素データとを合成する
請求項１乃至３のうちいずれか一項記載の静止画像配信方法。
【請求項５】
前記受信側装置が前記第１の送信側装置により配信された第１の静止画像の画素データと、前記第２の送信側装置により配信された第２の静止画像の画素データとを受信し、
前記受信側装置が前記第１の送信側装置により、前記第１の記憶部の前記中央アドレスの前記静止画像の画素データから配信開始されて前記先頭アドレス及び末尾アドレスのうちの一方の方向へ順次に前記第１の記憶部から読み出されて配信された前記第１の静止画像の画素データと、前記第２の送信側装置により、前記第２の記憶部の前記所定アドレスの前記静止画像の画素データから配信開始されて前記第１の送信側装置による前記第１の記憶部の読み出し方向とは逆方向に前記第２の記憶部から読み出されて配信された前記第２の静止画像の画素データとを合成し、
前記合成された前記第１及び第２の静止画像の画素データを記憶する
請求項２又は３記載の静止画像配信方法。
【請求項６】
前記合成される前記第１の静止画像の画素データの前記第１の記憶部の読み出しアドレスと、前記第２の静止画像の画素データの前記第２の記憶部の読み出しアドレスとを比較し、それらの読み出しアドレスが隣接する値のときに前記第１及び第２の送信側装置により並行して行われる静止画像配信が完了したと判定し、
前記静止画像配信が完了したと判定した時に、配信完了通知を前記第１及び第２の送信側装置へ送信する
請求項４又は５記載の静止画像配信方法。
【請求項７】
前記第１の送信側装置が、前記第２の送信側装置と並行して前記静止画像の画素データを前記受信側装置に配信する前に、配信する前記静止画像のサイズと共に、その静止画像が存在するホームページのアドレスを示す末尾方向静止画像アドレスを前記受信側装置に送信する
請求項１又は２記載の静止画像配信方法。
【請求項８】
第１の送信側装置が受信側装置に第１のネットワークを介して接続されると共に、第２の送信側装置が前記受信側装置に第２のネットワークを介して接続されており、
前記第１の送信側装置は、
配信する静止画像を前記第２の送信側装置へ送信する先行送信部と、
前記静止画像をその静止画像の中央領域から周辺領域方向への順で各領域の前記静止画像の画素データを順次に前記第１のネットワークを介して前記受信側装置へ配信する第１の送信部と
を有し、前記第２の送信側装置は、
前記第１の送信側装置から送信された前記静止画像を受信して記憶する先行受信及び記憶部と、
前記先行受信及び記憶部に記憶している前記静止画像の中央領域から周辺領域方向への順で各領域の前記静止画像の画素データを順次に読み出して前記第２のネットワークを介して前記受信側装置へ配信する第２の送信部と
を有することを特徴とする静止画像配信システム。
【請求項９】
第１の送信側装置が受信側装置に第１のネットワークを介して接続される第１の送信側装置と、
前記受信側装置に第２のネットワークを介して接続される第２の送信側装置とを含み、
前記第１の送信側装置は、
リングバッファの構成の第１の記憶部に格納している静止画像を前記受信側装置へ配信するのに先行して前記第２の送信側装置へ前記静止画像と、その静止画像のサイズとを送信する先行送信部と、
前記第１の記憶部に格納している前記静止画像における前記リングバッファ上の先頭アドレスの画素データから末尾アドレスの画素データまでのうち、前記先頭アドレスと前記末尾アドレスとの間の中央アドレスの画素データから読み出しを開始して前記先頭アドレス及び末尾アドレスのうちの一方の方向へ前記静止画像の画素データを順次に読み出して前記第１のネットワークを介して前記第２の送信側装置の配信動作と並行して前記受信側装置へ配信する第１の送信部と、
を含み、
前記第２の送信側装置は、
前記第１の送信側装置から送信された前記静止画像及び前記静止画像のサイズとを受信する先行受信部と、
前記先行受信部により受信された前記静止画像のサイズに応じた先頭アドレスから末尾アドレスまで、前記先行受信部により受信された前記静止画像を記憶するリングバッファの構成の第２の記憶部と、
前記第２の記憶部の前記リングバッファ上の先頭アドレスの画素データから末尾アドレスの画素データまでのうち、前記先頭アドレスと前記末尾アドレスとの間の所定アドレスの画素データから読み出しを開始して前記第１の送信部による前記第１の記憶部の読み出し方向とは逆方向に前記第２の記憶部から前記静止画像の画素データを順次に読み出して、前記第２のネットワークを介して前記受信側装置へ配信する第２の送信部と
を含む静止画像配信システム。
【請求項１０】
前記所定アドレスは、
前記静止画像を記憶している前記第２の記憶部のリングバッファ上の前記先頭アドレスと前記末尾アドレスとの間の中央位置のアドレスに対して、前記第２の送信部による前記リングバッファの読み出し方向と同方向に隣接するアドレスである
請求項９記載の静止画像配信システム。
【請求項１１】
前記受信側装置は、
前記第１の送信側装置により配信された第１の静止画像の画素データと、前記第２の送信側装置により配信された第２の静止画像の画素データとを受信する受信部と、
前記受信部で受信された前記第１の静止画像の画素データと前記第２の静止画像の画素データとを合成する合成部と、
を含む請求項８乃至１０のうちいずれか一項記載の静止画像配信システム。
【請求項１２】
前記受信側装置は、
前記第１の送信側装置により配信された第１の静止画像の画素データと、前記第２の送信側装置により配信された第２の静止画像の画素データとを受信する受信部と、
前記第１の送信側装置により、前記第１の記憶部の前記中央アドレスの前記静止画像の画素データから配信開始されて前記先頭アドレス及び末尾アドレスのうちの一方の方向へ順次に前記第１の記憶部から読み出されて配信された前記第１の静止画像の画素データと、前記第２の記憶部の前記所定アドレスの前記静止画像の画素データから配信開始されて前記第１の記憶部に対する読み出し方向とは逆方向に前記第２の記憶部から読み出されて配信された前記第２の静止画像の画素データとを合成する合成部と、
前記合成部で合成された前記第１及び第２の静止画像の画素データを記憶する第３の記憶部と
を含む請求項９又は１０記載の静止画像配信システム。
【請求項１３】
前記合成部で合成される前記第１の静止画像の画素データの前記第１の記憶部の読み出しアドレスと、前記第２の静止画像の画素データの前記第２の記憶部の読み出しアドレスとを比較し、それらの読み出しアドレスが隣接する値のときに前記第１及び第２の送信側装置により並行して行われる静止画像配信が完了したと判定する判定部と、
前記判定部で前記静止画像配信の完了を判定した時に、配信完了通知を前記第１及び第２の送信側装置へ送信する完了通知部と
を更に含む請求項１１又は１２記載の静止画像配信システム。
【請求項１４】
前記第１の送信側装置は、前記第２の送信側装置と並行して前記静止画像の画素データを前記受信側装置に配信する前に、配信する前記静止画像のサイズと共に、その静止画像が存在するホームページのアドレスを示す末尾方向静止画像アドレスを前記受信側装置に送信する部を更に含む請求項８又は９記載の静止画像配信システム。
【請求項１５】
配信する静止画像を送信する先行送信部と、
前記静止画像をその静止画像の中央領域から周辺領域方向への順で各領域の前記静止画像の画素データを順次に第１のネットワークを介して前記受信側装置へ配信する第１の送信部と、を備えた第１の送信側装置と、
前記第１の送信側装置の前記先行送信部により送信された前記静止画像及び前記静止画像のサイズとを受信して記憶する先行受信及び記憶部と、
前記先行受信及び記憶部に記憶している前記静止画像の中央領域から周辺領域方向への順で各領域の前記静止画像の画素データを順次に読み出して第２のネットワークを介して前記受信側装置へ配信する第２の送信部とを備えた第２の送信側装置と
を含む送信装置。
【請求項１６】
リングバッファの構成の第１の記憶部に格納している静止画像を受信側装置へ配信するのに先行して前記静止画像と、その静止画像のサイズとを送信する先行送信部と、
前記第１の記憶部に格納している前記静止画像における前記リングバッファ上の先頭アドレスの画素データから末尾アドレスの画素データまでのうち、前記先頭アドレスと前記末尾アドレスとの間の中央アドレスの画素データから読み出しを開始して前記先頭アドレス及び末尾アドレスのうちの一方の方向へ前記静止画像の画素データを順次に読み出して前記第１のネットワークを介して前記受信側装置へ配信する第１の送信部と、を備えた第１の送信側装置と、
前記第１の送信側装置の前記先行送信部により送信された前記静止画像及び前記静止画像のサイズとを受信する先行受信部と、
前記先行受信部により受信された前記静止画像のサイズに応じた先頭アドレスから末尾アドレスまで、前記先行受信部により受信された前記静止画像を記憶するリングバッファの構成の第２の記憶部と、
前記第２の記憶部の前記リングバッファ上の先頭アドレスの画素データから末尾アドレスの画素データまでのうち、前記先頭アドレスと前記末尾アドレスとの間の所定アドレスの画素データから読み出しを開始して前記第１の送信部による前記第１の記憶部の読み出し方向とは逆方向に前記第２の記憶部から前記静止画像の画素データを順次に読み出して、前記第２のネットワークを介して前記第２の送信側装置の配信動作と並行して前記受信側装置へ配信する第２の送信部と、を備えた第２の送信側装置と
を含む送信装置。
【請求項１７】
前記所定アドレスは、
前記静止画像を記憶している前記第２の記憶部のリングバッファ上の前記先頭アドレスと前記末尾アドレスとの間の中央位置のアドレスに対して、前記第２の送信部による前記リングバッファの読み出し方向と同方向に隣接するアドレスである請求項１６記載の送信装置。
【請求項１８】
リングバッファの構成の第１の記憶部に格納している静止画像を受信側装置へ配信するのに先行して前記静止画像と、その静止画像のサイズとを送信する第１のステップと、
前記第１のステップで送信された前記静止画像及び前記静止画像のサイズとを受信して、前記静止画像のサイズに応じた先頭アドレスから末尾アドレスまでリングバッファの構成の第２の記憶部に前記静止画像を記憶する第２のステップと、
前記第１の記憶部に格納している前記静止画像における前記リングバッファ上の先頭アドレスの画素データから末尾アドレスの画素データまでのうち、前記先頭アドレスと前記末尾アドレスとの間の中央アドレスの画素データから読み出しを開始して前記先頭アドレス及び末尾アドレスのうちの一方の方向へ前記静止画像の画素データを順次に読み出して第１のネットワークを介して前記受信側装置へ配信する第３のステップと、
前記静止画像を記憶している前記第２の記憶部のリングバッファ上の先頭アドレスの画素データから末尾アドレスの画素データまでのうち、前記先頭アドレスと前記末尾アドレスとの間の所定アドレスの画素データから読み出しを開始して前記第３のステップによる読み出し方向とは逆方向に前記静止画像の画素データを順次に読み出して、第２のネットワークを介して前記受信側装置へ前記第３のステップによる前記静止画像の配信動作と並行して配信する第４のステップと
を、コンピュータにより実行させる静止画像配信プログラム。
【請求項１９】
前記所定アドレスは、
前記静止画像を記憶している前記第２の記憶部のリングバッファ上の前記先頭アドレスと前記末尾アドレスとの間の中央位置のアドレスに対して、前記第４のステップによる前記リングバッファの読み出し方向と同方向に隣接するアドレスである請求項１８記載の静止画像配信プログラム。
【請求項２０】
第１の送信側装置により配信された第１の静止画像の画素データと、第２の送信側装置により配信された第２の静止画像の画素データとを受信する受信ステップと、
前記第１の送信側装置により、第１の記憶部の中央アドレスの静止画像の画素データから配信開始されて先頭アドレス及び末尾アドレスのうちの一方の方向へ順次に前記第１の記憶部から読み出されて配信された前記第１の静止画像の画素データと、前記第２の送信側装置により、前記第２の記憶部の前記所定アドレスの前記静止画像の画素データから配信開始されて前記第１の記憶部の読み出し方向とは逆方向に前記第２の記憶部から読み出されて配信された前記第２の静止画像の画素データとを合成する合成ステップと、
前記合成ステップで合成された前記第１及び第２の静止画像の画素データを記憶する記憶ステップと
を、受信側装置内のコンピュータにより実行させる静止画像配信プログラム。
【請求項２１】
前記合成ステップで合成される前記第１の静止画像の画素データの前記第１の記憶部の読み出しアドレスと、前記第２の静止画像の画素データの前記第２の記憶部の読み出しアドレスとを比較し、それらの読み出しアドレスが隣接する値のときに前記第１及び第２の送信側装置により並行して行われる静止画像配信が完了したと判定する判定ステップと、
前記判定ステップで前記静止画像配信の完了を判定した時に、配信完了通知を前記第１及び第２の送信側装置へ送信する完了通知ステップと
を更に前記受信側装置内のコンピュータにより実行させる請求項２０記載の静止画像配信プログラム。
【発明の詳細な説明】
【技術分野】
【０００１】
本発明は静止画像配信方法、静止画像配信システム及びそれに用いる送信装置に係り、特に送信側装置からネットワークを介して受信側装置へ静止画像を配信して表示させる静止画像配信方法、静止画像配信システム及びそれに用いる送信装置に関する。
【背景技術】
【０００２】
一般に、写真などの静止画像には、周辺領域よりも中央領域の方が、人物や物体などの重要なものが写っている場合が多い。そこで、特許文献１には、主記憶領域に読み込んだ静止画像に対して顔認識を行い、静止画像の中央領域に、認識された顔が位置するように表示する方法が開示されている。
また、特許文献２には、静止画像をサーバから端末へ配信する際に、ネットワークの可用帯域が狭帯域の場合には低画質な静止画像を配信し、ネットワークの可用帯域が広帯域の場合には高画質な静止画像を配信する方法が開示されている。
更に、特許文献３には、画像の重要な部分を比較的早く表示するために、送信すべき画像のうち重要な部分の領域を指定し、指定領域内の重要な部分の低周波数成分画像データ、指定領域外の低周波数成分画像データ、指定領域内の重要な部分の高周波数成分画像データ、指定領域外の高周波数成分画像データの順で送信する送信装置が開示されている。
【先行技術文献】
【特許文献】
【０００３】
【特許文献１】特開２００９−０７０３７４号公報
【特許文献２】特開２００６−２１７６５４号公報
【特許文献３】特開２００３−３３３５９３号公報
【発明の概要】
【発明が解決しようとする課題】
【０００４】
特許文献１記載の方法において、電子機器は、主記憶領域への静止画像の全ての画素のデータの読み込みが完了しない限り、顔認識を行うことができない。また、通常、静止画像を表示する場合には、まず、電子機器は、静止画像の表示部分の最も左上の画素のデータを主記憶領域から読み込み、表示し、続いて同じ行の右方向の順に各画素データを主記憶領域から次々に読み込み、表示する。次に、電子機器は、読み込み対象について列方向に１つ下に移動して、その列の画素のデータを左から右へ主記憶領域から次々に読み込み、表示装置に表示する。電子機器はこの列方向の読み込みと表示を、静止画像の表示部分の画素のデータがなくなるまで繰り返す。
その結果、特許文献１記載の方法では、ユーザは、主記憶領域への静止画像の全ての画素のデータの読み込みが完了することを待たなければならない。また、顔認識後に静止画像が表示される際には、静止画像の上部の周辺領域が表示された後でないと、中央領域を表示することができない。
また、特許文献２記載の方法において、受信側は、ネットワークが安定しており繋がり易い場合でも、特許文献１と同じく、静止画像の上部の周辺領域が表示された後でないと、中央領域を表示することができない。また、単一のサーバから静止画像を配信するため、ネットワークが不安定でサーバに接続できなかった場合には安定して静止画像を配信できない。
更に、特許文献３記載の送信装置では、単一の送信装置から静止画像を受信装置へ配信するため、ネットワークが不安定で送信装置に接続できなかった場合には安定して静止画像を配信できない。
本発明は以上の点に鑑みなされたもので、ネットワークが安定しており繋がり易い場合には静止画像の中央領域を周辺領域よりも早く表示でき、また、ネットワークが不安定で繋がりにくい場合でも安定して静止画像を配信できる静止画像配信方法、静止画像配信システム及びそれに用いる送信装置を提供することを目的とする。
【課題を解決するための手段】
【０００５】
上記の目的を達成するため、本発明の静止画像配信方法は、第１の送信側装置が静止画像を第２の送信側装置へ送信し、第２の送信側装置が、第１の送信側装置から送信された静止画像を受信して記憶し、第１の送信側装置が、静止画像の中央領域から周辺領域方向への順で、各領域の静止画像の画素データを順次に第１のネットワークを介して受信側装置へ配信し、第２の送信側装置が、記憶している静止画像の中央領域から周辺領域方向への順で、各領域の静止画像の画素データを順次に第２のネットワークを介して受信側装置へ配信する。
また、上記の目的を達成するため、本発明の静止画像配信システムは、第１の送信側装置が受信側装置に第１のネットワークを介して接続されると共に、第２の送信側装置が受信側装置に第２のネットワークを介して接続されており、第１の送信側装置は、配信する静止画像を第２の送信側装置へ送信する先行送信部と、静止画像をその静止画像の中央領域から周辺領域方向への順で各領域の静止画像の画素データを順次に第１のネットワークを介して受信側装置へ配信する第１の送信部とを有し、第２の送信側装置は、第１の送信側装置から送信された静止画像を受信して記憶する先行受信及び記憶部と、先行受信及び記憶部に記憶している静止画像の中央領域から周辺領域方向への順で各領域の静止画像の画素データを順次に読み出して第２のネットワークを介して受信側装置へ配信する第２の送信部とを含む。
また、上記の目的を達成するため、本発明の送信装置は、配信する静止画像を送信する先行送信部と、静止画像をその静止画像の中央領域から周辺領域方向への順で各領域の静止画像の画素データを順次に第１のネットワークを介して受信側装置へ配信する第１の送信部と、を備えた第１の送信側装置と、第１の送信側装置の先行送信部により送信された静止画像及び静止画像のサイズとを受信して記憶する先行受信及び記憶部と、先行受信及び記憶部に記憶している静止画像の中央領域から周辺領域方向への順で各領域の静止画像の画素データを順次に読み出して第２のネットワークを介して受信側装置へ配信する第２の送信部とを含む。
また、上記の目的を達成するため、本発明の静止画像配信プログラムは、リングバッファの構成の第１の記憶部に格納している静止画像を受信側装置へ配信するのに先行して静止画像と、その静止画像のサイズとを送信する第１のステップと、第１のステップで送信された静止画像及び静止画像のサイズとを受信して、静止画像のサイズに応じた先頭アドレスから末尾アドレスまでリングバッファの構成の第２の記憶部に静止画像を記憶する第２のステップと、第１の記憶部に格納している静止画像におけるリングバッファ上の先頭アドレスの画素データから末尾アドレスの画素データまでのうち、先頭アドレスと末尾アドレスとの間の中央アドレスの画素データから読み出しを開始して先頭アドレス及び末尾アドレスのうちの一方の方向へ静止画像の画素データを順次に読み出して第１のネットワークを介して受信側装置へ配信する第３のステップと、静止画像を記憶している第２の記憶部のリングバッファ上の先頭アドレスの画素データから末尾アドレスの画素データまでのうち、先頭アドレスと末尾アドレスとの間の所定アドレスの画素データから読み出しを開始して第３のステップによる読み出し方向とは逆方向に静止画像の画素データを順次に読み出して、第２のネットワークを介して受信側装置へ第３のステップによる静止画像の配信動作と並行して配信する第４のステップとを、コンピュータにより実行させる。
更に、上記の目的を達成するため、本発明の静止画像配信プログラムは、第１の送信側装置により配信された第１の静止画像の画素データと、第２の送信側装置により配信された第２の静止画像の画素データとを受信する受信ステップと、第１の送信側装置により、第１の記憶部の中央アドレスの静止画像の画素データから配信開始されて先頭アドレス及び末尾アドレスのうちの一方の方向へ順次に第１の記憶部から読み出されて配信された第１の静止画像の画素データと、第２の送信側装置により、第２の記憶部の所定アドレスの静止画像の画素データから配信開始されて第１の記憶部の読み出し方向とは逆方向に第２の記憶部から読み出されて配信された第２の静止画像の画素データとを合成する合成ステップと、合成ステップで合成された第１及び第２の静止画像の画素データを記憶する記憶ステップとを、受信側装置内のコンピュータにより実行させる。
【発明の効果】
【０００６】
本発明によれば、ネットワークが安定しており繋がり易い場合には静止画像の中央領域を周辺領域よりも早く表示でき、また、ネットワークが不安定で繋がりにくい場合でも安定して静止画像を配置できる。
【図面の簡単な説明】
【０００７】
【図１】本発明の静止画像配信システムの一実施形態のブロック図である。
【図２】図１中の各装置の構成の一実施形態のブロック図である。
【図３】図１及び図２の各部の動作を説明する図である。
【図４】本発明の静止画像配信方法の一実施の形態のフローチャートである。
【図５】本発明の一実施形態による静止画像の表示過程を説明する図である。
【発明を実施するための形態】
【０００８】
次に、発明を実施するための形態について図面を参照して詳細に説明する。
図１は、本発明になる静止画像配信システムの一実施形態のブロック図を示す。同図に示すように、本実施形態の静止画像配信システム１００は、第１の送信側装置１１０と、第２の送信側装置１２０と、受信側装置１３０と含み、各装置は互いにネットワークを介して接続される。２台の送信側装置１１０及び１２０は、本発明の実施の形態の一つの送信装置を構成している。
送信側装置１１０、送信側装置１２０、及び受信側装置１３０は、パーソナルコンピュータ（ＰＣ）、携帯型コンピュータ（ＰＤＡ）、携帯電話、スマートフォン、固定電話、街頭マルチメディア端末、車載端末、ネットワーク接続機能付きテレビ、ネットワーク接続機能付きセットトップボックス、ゲーム機、ネットワーク接続機能付きプリンタ、ネットワーク接続機能付きスキャナ、外部と情報をやり取りする機能を備えたその他の類似装置であってよい。
ここでは、ユーザＡが送信側装置１１０に格納された静止画像を、ユーザＢが利用する受信側装置１３０に配信する例を用いて説明する。ユーザＡは、送信側装置１１０の他に、送信側装置１２０も利用する。
具体的な利用場面としては、送信側装置１１０がユーザＡの携帯電話であり、送信側装置１２０がユーザＡの自宅のＰＣである場合に、ユーザＡの携帯電話に付属のカメラで撮影した写真を、ユーザＢに見せることが挙げられる。他の利用場面としては、送信側装置１１０がユーザＡの自宅のＰＣであり、送信側装置１２０が事業者により運用されているインターネット上のサーバで、ユーザＡによる当該サーバの利用が許可されている場合に、ユーザＡの自宅のＰＣでダウンロードした静止画像を、ユーザＢに見せることが挙げられる。
図２は、図１中の各装置の一実施形態のブロック図を示す。同図中、図１と同一構成部分には同一符号を付してある。図２において、送信側装置１１０は、静止画像記憶部１１１と、先行送信部１１２と、先頭方向送信部１１３と、送受信部１１４とを含む。
静止画像記憶部１１１は、図３に模式的に示す静止画像データ４０と先頭アドレス４１と末尾アドレス４２と先頭方向送信カウンタ４３と静止画像サイズ４４と末尾方向静止画像アドレス４５とを格納する。
静止画像データ４０は、受信側装置１３０に配信される静止画像のデータ本体であり、静止画像記憶部１１１内のリングバッファに一時記憶される。先頭アドレス４１は、上記リングバッファに読み込まれた静止画像データ４０の先頭のデータのアドレスを指す。末尾アドレス４２は、上記リングバッファに読み込まれた静止画像データ４０の末尾のアドレスを指す。
先頭方向送信カウンタ４３は、静止画像データ４０における、先頭方向送信部１１３により送受信部１３１に配信済みとなったデータのアドレスを指す。この先頭方向送信カウンタ４３は、送受信部１３１への静止画像データ４０の配信が進むに連れて、先頭アドレス４１に向けて徐々に移動していく。
静止画像サイズ４４は、静止画像データ４０のデータサイズである。末尾方向静止画像アドレス４５は、静止画像データ５０にアクセスするためのアドレス情報である。このアドレス情報は、ＵＲＬ形式であってもよい。すなわち、末尾方向静止画像アドレス４５は、先頭アドレス４１のような、いわゆる「メインメモリ内のアドレス」ではなく、ＵＲＬなどの静止画像が存在する「ホームページのアドレス」である。後述する受信側装置１３０内の送受信部１３１は、この末尾方向静止画像アドレス４５が示すＵＲＬにアクセスして、静止画像データを取得することができる。
先行送信部１１２は、静止画像記憶部１１１に記憶されている静止画像データ４０を受信側装置１３０に配信する前に、送信側装置１１０から静止画像データ４０を送信側装置１２０に先行的に送信する。
先頭方向送信部１１３は、送信側装置１１０が保有する静止画像データ４０を受信側装置１３０に配信する際に、静止画像記憶部１１１のリングバッファに読み込まれた静止画像データ４０を、送受信部１１４を通して配信する。具体的には先頭方向送信部１１３は、静止画像データ４０を図３に示すように先頭アドレス４１と末尾アドレス４２との間の真ん中に位置するアドレスの静止画像データから読み出し開始して送受信部１１４を通して配信する。配信する静止画像データ４０の読み出し方向は、前記真ん中に位置するアドレスから先頭アドレス４１の方向である。
リングバッファの読み出しアドレスは、先頭方向送信カウンタ４３により示される。そのため先頭方向送信カウンタ４３は、静止画像データ４０の読み出しが進むにつれて、上記の真ん中に位置するデータのアドレスから先頭アドレス４１に向けて徐々に移動していく。この先頭方向送信カウンタ４３の値は変化する毎に静止画像記憶部１１１で更新される。
送受信部１１４は、先頭方向送信部１１３から受信した静止画像データ４０及び末尾方向静止画アドレス４５を送受信部１３１に送信する。また、送受信部１１４は、受信側装置１３０内の送受信部１３１から送信された静止画像のダウンロード完了通知を受信する。
次に、送信側装置１２０について説明する。送信側装置１２０は、図２に示すように先行受信部１２１と、静止画像記憶部１２２と、末尾方向送信部１２３と、送受信部１２４とを含む。
先行受信部１２１は、送信側装置１１０から静止画像データ４０等を受信側装置１３０に配信する前に、送信側装置１１０の先行送信部１１２から先行的に送信された静止面像データ４０と静止画像サイズ４４を受信する。
静止画像記憶部１２２は、先行受信部１２１が受信した送信側装置１１０からの静止画像データ４０を、図３に示したように静止画像データ５０としてリングバッファの先頭アドレス５１から末尾アドレス５２まで読み込むと共に、末尾方向送信カウンタ５３を格納する。末尾アドレス５２は、先頭アドレス５１に静止画像サイズ４４を加算したアドレスである。末尾方向送信カウンタ５３は、静止画像データ５０における、末尾方向送信部１２３により送受信部１３１に配信済みとなったデータのアドレスを指す。また、末尾方向送信カウンタ５３は、図３に示すように、送受信部１３１への配信が始まる前の段階では先頭アドレス５１と末尾アドレス５２の間の真ん中に位置するアドレスに対して末尾のデータ側に隣接するアドレスを指す。
末尾方向送信部１２３は、静止画像記憶部１２２のリングバッファに読み込まれた静止画像データ５０を、末尾方向送信カウンタ５３が示すアドレスから読み出し開始して送受信部１２４を通して配信する。配信する静止画像データ５０の読み出し方向は、前記先頭アドレス５１と末尾アドレス５２の間の真ん中に位置するアドレスに対して末尾のデータ側に隣接するアドレスから末尾アドレス５１の方向である。
リングバッファの読み出しアドレスは、末尾方向送信カウンタ５３により示される。そのため末尾方向送信カウンタ５３は、静止画像データ５０の読み出しが進むにつれて、上記の真ん中に位置するアドレスに対して末尾のデータ側に隣接するアドレスから末尾アドレス５２に向けて徐々に移動していく。この末尾方向送信カウンタ５３の値は変化する毎に静止画像記憶部１２２で更新される。
送受信部１２４は、末尾方向送信部１２３から受信した静止画像データ５０を送受信部１３１に送信する。また、送受信部１２４は、受信側装置１３０内の送受信部１３１から送信された静止画像のダウンロード完了通知を受信する。
次に、受信側装置１３０について説明をする。受信側装置１３０は、図２に示すように送受信部１３１と、合成部１３２と、静止画像記憶部１３３とから構成される。
送受信部１３１は、送受信部１１４から静止画像データ４０及び末尾方向静止画像アドレス４５を受信し、送受信部１２４から静止画像データ５０を受信する。合成部１３２は、送受信部１３１で受信した送受信部１１４からの静止画像データ４０と、送受信部１３１で受信した送受信部１２４からの静止画像データ５０とを合成することで、静止画像データ６０を生成する。
静止画像記憶部１３３は、合成部１３２で生成された静止画像データ６０をリングバッファに格納する。また、静止画像記憶部１３３は、図３に示すように、静止画像データ６０のリングバッファにおける先頭アドレス６１と末尾アドレス６２と先頭方向受信カウンタ６３と末尾方向受信カウンタ６４とを格納する。
静止画像データ６０は、送受信部１３１が受信し、合成部１３２により合成された静止画像のデータ本体である。静止画像の配信が完了すると、静止画像データ６０は、静止画像データ４０又は静止画像データ５０と同一になる。
先頭アドレス６１は、リングバッファにおける静止画像データ６０の先頭のデータのアドレスである。末尾アドレス６２は、リングバッファにおける静止画像データ６０の末尾のデータのアドレスであり、先頭アドレス６１に静止画像サイズ４４を加算したアドレスである。
先頭方向受信カウンタ６３は、静止画像データ６０における、送受信部１１４により送受信部１３１に配信済みとなったデータのアドレスを指す。送受信部１１４は静止画像データ４０を、リングバッファの真ん中のアドレスのデータから先頭方向に移動するアドレスのデータへ配信する。そのため先頭方向受信カウンタ６３は、送受信部１３１への配信が始まる前の段階の初期値は、先頭アドレス４１に対応した先頭アドレス６１と末尾アドレス４２に対応した末尾アドレス６２の間の真ん中に位置するデータのアドレスを指す。
すなわち、先頭方向受信カウンタ６３の初期値は、｛（先頭アドレス６１）＋（末尾アドレス６２）｝／２で設定される。従って、例えば先頭アドレス６１が「１」で、末尾アドレス６２が「９９」の場合は、先頭方向受信カウンタ６３の初期値は、「５０」となる。この先頭方向受信カウンタ６３は、送受信部１１４から送受信部１３１への静止画像データ４０の配信が進むにつれて、先頭アドレス６１に向けて徐々に移動していき、その値が静止画像記憶部１３３で更新される。
末尾方向受信カウンタ６４は、静止画像データ６０における、送受信部１２４より１２３により送受信部１３１に配信済みとなったデータのアドレスを指す。送受信部１２４は静止画像データ５０を、リングバッファの真ん中に位置するアドレスに対して末尾のデータ側に隣接するアドレスのデータから末尾方向に移動するアドレスのデータへ配信する。末尾方向受信カウンタ６４は、送受信部１２４から送受信部１３１への静止画像データ５０の配信が始まる前の段階の初期値は、先頭アドレス５１に対応した先頭アドレス６１と末尾アドレス５２に対応した末尾アドレス６２の間の真ん中に位置するデータに対して末尾のデータ側に隣接するデータのアドレスを指す。
すなわち、末尾方向受信カウンタ６４の初期値は、先頭方向受信カウンタ６３の初期値に「１」を加算した値である。従って、先頭方向受信カウンタ６３の初期値が「５０」の場合は、末尾方向受信カウンタ６４の初期値は、「５１」となる。この末尾方向受信カウンタ６４は、送受信部１３１への配信が進むにつれて、末尾アドレス６２に向けて徐々に移動していき、その値が静止画像記憶部で更新される。
次に、本実施形態の動作について、図４のフローチャートを併せ参照して詳細に説明する。図４は、本発明になる静止画像配信方法の一実施形態のフローチャートである。
送信側装置１１０及び１２０による受信側装置１３０への静止画像の配信に先立ち、まず送信側装置１１０は、先行送信部１１２により、静止画像記憶部１１１に格納されている静止画像データ４０と静止画像サイズ４４とを読み出す。送信側装置１１０は、読み出した静止画像データ４０と静止画像サイズ４４とを送信側装置１２０内の先行受信部１２１に送信する（ステップＳ１）。送信側装置１２０内の静止画像記憶部１２２は、先行受信部１２１が受信した静止画像サイズ４４で指定されたデータ領域をリングバッファとして確保して、先行受信部１２１が受信した静止画像データ４０を静止画像データ５０として格納する。このステップＳ１は、ユーザＡが手動で行ってもよいし、送信側装置１１０が自動的に行ってもよい。
次に、送信側装置１１０内の先頭方向送信部１１３が、送受信部１１４及びネットワークを通して受信側装置１３０内の送受信部１３１に対して、静止画像サイズ４４と末尾方向静止画像アドレス４５とを通知する（ステップＳ２）。これにより、送受信部１３１は、通知された静止画像サイズ４４で指定された静止画像データ６０用のデータ領域をリングバッファとして確保する。このステップＳ２は、ユーザＡがプッシュ型で静止画像データ４０を受信側装置１３０に配信する操作をした際に行ってもよいし、ユーザＢがプル型で静止画像データ４０の配信を要求する操作をした際に行ってもよい。
次に、送信側装置１１０内の先頭方向送信部１１３は、先頭方向送信カウンタ４３が指すアドレスを出発点として、先頭アドレス４１の方向に向けて一定量のデータを静止画像記憶部１１１に格納されている静止画像データ４０から読み出す。先頭方向送信部１１３は、読み出したデータを送受信部１１４及びネットワークを介して送受信部１３１に配信する。配信が完了したら、先頭方向送信カウンタ４３が指すアドレスを配信が完了した位置まで移動する。
一方、送信側装置１２０内の末尾方向送信部１２３は、末尾方向送信カウンタ５３が指すアドレスを出発点として、末尾アドレス５２の方向に向けて一定量のデータを静止画像記憶部１２２に格納されている静止画像データ５０から読み出し、送受信部１２４及びネットワークを介して送受信部１３１に配信する。配信が完了したら、末尾方向送信カウンタ５３が指すアドレスを配信が完了した位置まで移動する。
送受信部１３１は、上記のように配信された送受信部１１４からの静止画像データ４０と送受信部１２４からの静止画像データ５０とを並行して受信して合成部１３２へ出力する。
合成部１３２は、送受信部１１４から受信した静止画像データ４０と、これと並行して送受信部１２４から受信した静止画像データ５０とを合成して、静止画像記憶部１３３に供給して書き込む。すなわち、合成部１３２は、静止画像データ４０を、先頭方向受信カウンタ６３が指すアドレスを出発点として、先頭アドレス６１の方向に向けて静止画像記憶部１３３に書き込ませ、先頭方向受信カウンタ６３が指すアドレスを書き込みが完了した位置まで移動させる。また、合成部１３２は、これと並行して、静止画像データ５０を、末尾方向受信カウンタ６４が指すアドレスを出発点として、末尾アドレス６２の方向に向けて静止画像記憶部１３３に書き込ませ、末尾方向受信カウンタ６４が指すアドレスを書き込みが完了した位置まで移動させる（以上、ステップＳ３）。
続いて、合成部１３２は、先頭方向受信カウンタ６３が指すアドレスと末尾方向受信カウンタ６４が指すアドレスとを調べて、両アドレスが隣接していて、これ以上移動するとお互いに衝突する状態になっているかどうかを判定する（ステップＳ４）。
合成部１３２は、ステップＳ４で両アドレスが隣接しておらず、両アドレスが更に移動しても衝突する状態にないと判定したときは、静止画像のダウンロードがまだ完了していないと判断する。合成部１３２は、静止画像のダウンロードがまだ完了していないと判断した場合、ステップＳ３に戻り、引き続き静止画像データ４０及び５０の合成と静止画像記憶部１３３への記憶を行う。
他方、合成部１３２は、ステップＳ４で両アドレスが隣接していて、これ以上移動するとお互いに衝突する状態になったと判定したときは、静止画像のダウンロードが完了したと判断し、ステップＳ５に進む。
ステップＳ５では、合成部１３２が、送受信部１３１を介して送受信部１１４と送受信部１２４とに対して、静止画像のダウンロードが完了したことを通知する。この通知を受けて、送受信部１１４と送受信部１２４は、静止画像の配信を終了する。
次に、本実施形態による静止画像の表示過程について説明する。図５は、本実施形態による静止画像の表示過程の一例を示す。この例では、行方向と列方向にそれぞれ４個で、合計４×４＝１６個の画素「１」〜「１６」がある静止画像の表示過程が示されている。この静止画像は、通常は画素の番号順、すなわち左側から右側に、かつ、上から下へ順番に各画素が表示される。
本実施形態によれば、ステップＳ３において初めて送受信部１３１が送受信部１１４から静止画像データ４０を受信した時点では、先頭方向受信カウンタ６３は、先頭アドレス４１に対応した先頭アドレス６１（リングバッファにおける画素「１」のアドレス）と末尾アドレス４２に対応した末尾アドレス６２（リングバッファにおける画素「１６」のアドレス）の間の真ん中に位置するアドレス（リングバッファにおける画素「８」のアドレス））を指している。
一方、ステップＳ３において初めて送受信部１３１が送受信部１２４から静止画像データ５０を受信した時点では、末尾方向受信カウンタ６４は、先頭アドレス５１に対応した先頭アドレス６１（リングバッファにおける画素「１」のアドレス）と末尾アドレス５２に対応した末尾アドレス６２（リングバッファにおける画素「１６」のアドレス）の間の真ん中に位置するアドレスに対して末尾のデータ側に隣接するアドレス（リングバッファにおける画素「９」のアドレス））を指している。
その後、静止画像記憶部１３３は、送受信部１３１が送信側装置１１０内の送受信部１１４から最初に受信した画像データ４０の画素「８」の画素データを先頭方向受信カウンタ６３が示す最初のアドレスに書き込む。これにより、先頭方向受信カウンタ６３は先頭アドレス方向の次のアドレスに移動する。送受信部１３１は、送信側装置１１０内の送受信部１１４から、図５に矢印Ｉで示すように、画素「７」、「６」、「５」、「４」、・・・先頭の画素「１」の画素データの順番で画像データ４０を受信する。静止画像記憶部１３３がこれら静止画像データ４０の各画素データを順次に格納する毎に、先頭方向受信カウンタ６３は先頭アドレス６１の方向に移動していく。そして静止画像記憶部１３３は、最後の先頭アドレス６１に、先頭の画素「１」の画素データを格納する。
また、静止画像記憶部１３３は、送受信部１３１が送信側装置１２０内の送受信部１２４から最初に受信した画像データ５０の画素「９」の画素データを末尾方向受信カウンタ６４が示す最初のアドレスに書き込む。これにより、末尾方向受信カウンタ６４は末尾アドレス方向の次のアドレスに移動する。送受信部１３１は、送信側装置１２０内の送受信部１２４から、図５に矢印ＩＩで示すように、画素「１０」、「１１」、「１２」、「１３」、・・・末尾の画素「１６」の画素データの順番で画像データ５０を受信する。静止画像記憶部１３３がこれら静止画像データ５０の各画素データを順次に格納する毎に、末尾方向受信カウンタ６４は末尾アドレス６２の方向に移動していく。そして静止画像記憶部１３３は、最後の末尾アドレス６２に、末尾の画素「１６」の画素データを格納する。
ここで、合成部１３２から取り出されて静止画像記憶部１３３に供給される静止画像データを図示しない表示装置で表示するようにした場合は、その表示装置は静止画像記憶部１３３に供給される静止画像データの格納順番で表示を行う。
従って、本実施の形態によれば、送信側装置１１０と受信側装置１３０との間、及び送信側装置１２０と受信側装置１３０との間のネットワークの状態が安定しており繋がり易いときには、上記の表示装置は、図５に示した１つの静止画像の中央領域の画素「８」と「９」とから表示を開始する。以後、表示装置は中央領域から周辺領域の方向へ上半分と下半分の各画素を並行して表示するため、静止画像の中央領域を周辺領域よりも早く表示することができる。
また、ネットワークが不安定で繋がりにくい場合であっても、本実施形態では、受信側装置１３０が送信側装置１１０と送信側装置１２０のどちらかに接続できれば前記静止画像の全てのデータを配信できるので、安定して静止画像を配信できる。
例えば、受信側装置１３０が送信側装置１１０に接続できず、送信側装置１２０にだけ接続できた場合には、送信側装置１２０は、静止画像記憶部１３３に図５の画素「９」から画素「１０」、「１１」、「１２」、「１３」・・・末尾の画素「１６」の画素データの順番で画像データ５０が供給する。静止画像記憶部１３３がこれら静止画像データ５０の各画素データを順次に格納する毎に、末尾方向受信カウンタ６４は末尾アドレス６２の方向に移動していく。そして静止画像記憶部１３３は、最後の末尾アドレス６２に、末尾の画素「１６」の画素データをリングバッファに格納する。
その後、送信側装置１２０内の静止画像記憶部１２２がリングバッファに静止画像データ５０を格納しているので、末尾方向送信部１２３は末尾アドレス５２に格納されている末尾の画素「１６」の画素データに続いて先頭アドレス５１に格納されている画素「１」の画素データを読み出す。以後、末尾方向送信部１２３は末尾アドレスの方向に画素「２」、「３」・・・の順番で各画素データを読み出す。静止画像記憶部１３３は、上記の送信側装置１２０から配信された画素データの順番で静止画像データ５０をリングバッファに格納する。そのため上記の画素「１６」の画素データを格納した後、続いて画素「１」、画素「２」・・・の順番で最終的に画素「８」の画素データまで画素データを格納する。
従って、合成部１３２から取り出されて静止画像記憶部１３３に供給される画像データを図示しない表示装置で表示するようにした場合は、その表示装置は送信側装置１２０から配信された画素データの順番で各画素を表示し、最終的に全ての画素の静止画像を表示することができる。
また、受信側装置１３０が送信側装置１１０と送信側装置１２０の両方に接続でき、送信側装置１１０の配信速度と送信側装置１２０の配信速度に差がある場合でも、本実施の形態によれば、静止画像記憶部１３３がリングバッファで構成されていることから、送信側装置１１０と送信側装置１２０とは、安定して静止画像を配信することができる。
例えば、送信側装置１１０の配信速度の方が送信側装置１２０の配信速度よりも速い場合には図４のステップＳ３において、先頭方向受信カウンタ６３は図５の静止画像の画素「８」、「７」、「６」、「５」、「４」、「３」、「２」、「１」、「１６」、「１５」、「１４」の順で各画素データが静止画像記憶部１３３に格納される毎に移動する。一方、末尾方向受信カウンタ６４は図５の静止画像の画素「９」、「１０」、「１１」、「１２」、「１３」の順で各画素データが静止画像記憶部１３３に格納される毎に移動する。
そして、図４のステップＳ４において、先頭方向受信カウンタ６３は画素「１４」の画素データの記憶アドレスを示し、末尾方向受信カウンタ６４は画素「１３」の画素データの記憶アドレスを示す。この場合、両カウンタ６３及び６４が指すアドレスが隣接していて、これ以上移動するとお互いに衝突する状態になっているため、この時点で静止画像のダウンロードが完了する。
従って、本実施の形態によれば、送信側装置１１０の配信速度と送信側装置１２０の配信速度に差がある場合でも、受信側装置１３０は、静止画像データの全ての画素データを静止画像記憶部１３３に格納することができるため、送信側装置１１０と送信側装置１２０とは、安定して静止画像を配信することができる。
なお、本発明は以上の実施形態に限定されるものではない。本発明の構成や詳細には、本発明のスコープ内で同業者が理解し得る様々な変更をすることができる。例えば、先頭方向送信カウンタ４３は静止画像記憶部１１１に格納されており、静止画像データ４０が読み出される毎に逐次変化し、その変化後の値を静止画像記憶部１１１に再度書き込む（更新する）ものとして説明したが、先頭方向送信カウンタ４３は、静止画像記憶部１１１に格納せず、先頭方向送信部１１３内に設けるようにしてもよい。同様に、末尾方向送信カウンタ５３は静止画像記憶部１２２に格納されており、静止画像データ５０が読み出される毎に逐次変化し、その変化後の値を静止画像記憶部１２２に再度書き込む（更新する）ものとして説明したが、末尾方向送信カウンタ５３は、静止画像記憶部１２２に格納せず、末尾方向送信部１２３内に設けるようにしてもよい。更に、先頭方向受信カウンタ６３及び末尾方向受信カウンタ６４は、静止画像記憶部１３３に格納せず、送受信部１３１内又は合成部１３２内に設けてもよい。
また、上記の実施形態では、送信側装置１１０が先頭方向送信部１１３を有し、かつ、送信側装置１２０が末尾方向送信部１２３を有する構成として説明したが、送信側装置１１０が末尾方向送信部を有し、かつ、送信側装置１２０が先頭方向送信部を有するようにしてもよい。
更に、本発明は、以上の実施形態に限定されるものではなく、例えば、図４のフローチャートをコンピュータを用いて実行させる静止画像配信プログラムも包含するものである。また、送信側装置１１０や１２０の各構成をコンピュータにより実現させる配信プログラムも本発明に含まれる。これらの配信プログラムは、記録媒体に記録されていてもよいし、配信されるようにしてもよい。
この出願は、２００９年７月２日に出願された日本出願特願２００９−１５７３９０を基礎とする優先権を主張し、その開示の全てをここに取り込む。
【産業上の利用可能性】
【０００９】
本発明によれば、オフィスや家庭において、ユーザが静止画像を他のユーザに向けて配信するソリューションに適用できる。
【符号の説明】
【００１０】
４０、５０、６０  静止画像データ
４１、５１、６１  先頭アドレス
４２、５２、６２  末尾アドレス
４３  先頭方向送信カウンタ
４４  静止画像サイズ
４５  末尾方向静止画像アドレス
５３  末尾方向送信カウンタ
６３  先頭方向受信カウンタ
６４  末尾方向受信カウンタ
１００  静止画像配信システム
１１０、１２０  送信側装置
１１１、１２２、１３３  静止画像記憶部
１１２  先行送信部
１１３  先頭方向送信部
１１４、１２４、１３１  送受信部
１２１  先行受信部
１２３  末尾方向送信部
１３０  受信側装置
１３２  合成部
【図１】
2011001991.tif 000003
【図２】
2011001991.tif 000004
【図３】
2011001991.tif 000005
【図４】
2011001991.tif 000006
【図５】
2011001991.tif 000007
【国際調査報告】
2011001991.tif 000008
2011001991.tif 000009